(57)【要約】　　　（修正有）【課題】実用性を向上させることができ、引っ張る強度を高めることができるスチールワイヤーロープのロックユニットを提供する。【解決手段】８字形のソケットに形成されたロックユニット４０と、前記ロックユニットの内部に連通しない大サイズ、小サイズの２つの独立した圧迫結合用の貫通孔４１，４２とが設けられ、前記ロックユニットをプレスで圧迫し、前記大きな圧迫結合用の貫通孔を経由してＰＵ外被覆層２１をクリップし、前記スチールワイヤーロープの周縁面を集束、及び結合するようにセットし、前記小さな圧迫結合用の貫通孔を経由して、巻き段の自由端のスチールワイヤーロープ本体２２をクリップし、前記スチールワイヤーロープの周縁面の集束、及び結合するようにセットする構成とされる。【選択図】　　　図１
0003097910.tif 000002
【実用新案登録請求の範囲】
【請求項１】
８字形のソケットに形成されたロックユニットと、
前記ロックユニットの内部に連通しない大サイズ、小サイズの２つの独立した圧迫結合用の貫通孔とが設けられ、
前記ロックユニットをプレスで圧迫し、前記大きな圧迫結合用の貫通孔を経由してＰＵ外被覆層をクリップし、前記スチールワイヤーロープの周縁面を集束、及び結合するようにセットし、前記小さな圧迫結合用の貫通孔を経由して、巻き段の自由端のスチールワイヤーロープ本体をクリップし、前記スチールワイヤーロープの周縁面の集束、及び結合するようにセットすることを特徴とするスチールワイヤーロープのロックユニット。
【考案の詳細な説明】
【０００１】
【考案の属する技術分野】
本考案は、スチールワイヤーロープのロックユニットに係るものであり、特に、スチールワイヤーロープの引っ張る強度を高め、実用性を向上させることができるロックユニットに関するものである。
【０００２】
【従来の技術】
従来、一般的に使用されているスチールワイヤーロープは、スチールワイヤーロープの端を所定の部位に固定し、スチールワイヤーロープを引っ張った状態で使用する場合などがある。このようなスチールワイヤーロープのロックユニットの機能性を向上させるための研究、開発、改良が行われている。
【０００３】
【考案が解決しようとする課題】
従来のスチールワイヤーロープでは、スチールワイヤーロープの使用後に小さくまとめるには、スチールワイヤーロープの長さにより時間と手間がかかると共に、そのまとめた状態を固定するにはスチールワイヤーロープの端を固く解けないように結ばなければならず、容易にスチールワイヤーロープをまとめるのが難しいという問題点があった。
【０００４】
また、上記のようにスチールワイヤーロープの端を所定の部位に固定し、スチールワイヤーロープを引っ張った状態で固定して使用する場合、固定した部分が強固に接続されていないと、スチールワイヤーロープが弛んだり、固定した部分が外れてしまうなどの問題点があった。
【０００５】
本考案は、スチールワイヤーロープを容易に小さくまとめることができるなど、実用性を向上させることができ、また、スチールワイヤーロープの端を容易に固定し、スチールワイヤーロープでの引っ張る強度を高めることができるスチールワイヤーロープのロックユニットを提供することを目的とする。
【０００６】
【課題を解決するための手段】
前記の目的を図るために、本考案は、８字形のソケットに形成されたロックユニットと、前記ロックユニットの内部に連通しない大サイズ、小サイズの２つの独立した圧迫結合用の貫通孔とが設けられ、前記ロックユニットをプレスで圧迫し、前記大きな圧迫結合用の貫通孔を経由してＰＵ外被覆層をクリップし、前記スチールワイヤーロープの周縁面を集束、及び結合するようにセットし、前記小さな圧迫結合用の貫通孔を経由して、巻き段の自由端のスチールワイヤーロープ本体をクリップし、前記スチールワイヤーロープの周縁面の集束、及び結合するようにセットすることにより、スチールワイヤーロープを容易に小さくまとめることができるなど、実用性を向上させることができ、スチールワイヤーロープの端を容易に固定し、スチールワイヤーロープでの引っ張る強度を高めることができる。
【０００７】
以下に添付図面を参照して本考案のある好適な実施の形態を詳細に説明するが、それらの構成は本考案の構造の絶対的な制限にならない。
【０００８】
【考案の実施の形態】
図１は、本考案のスチールワイヤーロープのロックユニットを示す分解斜視図である。図２は、本考案のスチールワイヤーロープのロックユニットを組み合わせた状態を示す斜視図である。図３は、本考案においてプレスで圧迫する前と後のロックユニットを示す断面図である。本考案のスチールワイヤーロープのロックユニット４０は、主に、８字形のソケットに形成され、内部に連通しない大サイズ、小サイズの２つの独立した圧迫結合用の貫通孔４１、４２が設けられている。一方、スチールワイヤーロープ２０の末端では、適切段のＰＵ外被覆層２１が剥がされている。スチールワイヤーロープ２０をロックユニット４０の大きな圧迫結合用の貫通孔４１に通過させると共に、スチールワイヤーロープ２０を巻いてコイル状にする。
【０００９】
また、ＰＵ外被覆層２１を剥がしたスチールワイヤーロープ本体２２を小さな圧迫結合用の貫通孔４２に挿入する。ロックユニット４０をプレスで圧迫すると、ロックユニット４０の大きな圧迫結合用の貫通孔４１を経由して、ＰＵ外被覆層２１をクリップする。スチールワイヤーロープ２０の全部周縁面の集束、及び結合するようにセットするだけでなく、ロックユニット４０内部の小さな圧迫結合用の貫通孔４２を経由して、巻き段の自由端のスチールワイヤーロープ本体２２を直接クリップし、全部周縁面の集束、及び結合するようにセットすることもできる。続いて、ゴム保護体５０をプレス加工後のロックユニット４０の外縁に嵌める。これにより、スチールワイヤーロープ２０を容易に小さくまとめることができ、スチールワイヤーロープ２０の端を容易に固定することができるなど、完全無欠のスチールワイヤーロープが生成される。従って、本考案のスチールワイヤーロープのロックユニットは、スチールワイヤーロープ本体２２が中心の位置からずれる恐れがなく、実用性を向上させ、引っ張る強度を高めることができる。
【００１０】
【考案の効果】
前記の説明と図面の掲載からわかるように、本考案のスチールワイヤーロープのロックユニットは、８字形のソケットに形成されたロックユニットと、ロックユニットの内部に連通しない大サイズ、小サイズの２つの独立した圧迫結合用の貫通孔とが設けられ、ロックユニットをプレスで圧迫し、大きな圧迫結合用の貫通孔を経由してＰＵ外被覆層をクリップし、スチールワイヤーロープの周縁面を集束、及び結合するようにセットし、小さな圧迫結合用の貫通孔を経由して、巻き段の自由端のスチールワイヤーロープ本体をクリップし、スチールワイヤーロープの周縁面の集束、及び結合するようにセットすることにより、スチールワイヤーロープを容易に小さくまとめることができるなど、実用性を向上させることができ、スチールワイヤーロープの端を容易に固定し、スチールワイヤーロープでの引っ張る強度を高めることができる。
【図面の簡単な説明】
【図１】本考案のスチールワイヤーロープのロックユニットを示す分解斜視図である。
【図２】本考案のスチールワイヤーロープのロックユニットを組み合わせた状態を示す斜視図である。
【図３】本考案においてプレスで圧迫する前と後のロックユニットを示す断面図である。
【符号の説明】
２０　　　　　スチールワイヤーロープ
２１　　　　　ＰＵ外被覆層
２２　　　　　スチールワイヤーロープ本体
４０　　　　　ロックユニット
４１、４２　　貫通孔
【図１】
0003097910.tif 000003
【図２】
0003097910.tif 000004
【図３】
0003097910.tif 000005